(57)【特許請求の範囲】
【請求項１】
ＣＤよりも大きい輪郭の矩形に形成された第１片部と、
前記第１片部と同じ大きさの矩形で第１片部の一辺をなす縁に第１折れ線を介して連設され、第１折れ線を境に折り畳んだときに第１片部と合致する第２片部と、
前記第１片部の第１折れ線と対向する辺の縁に第２折れ線を介して連設された舌片部と、
前記第２片部の前記第１折れ線の両側に接続される二つ辺の縁にそれぞれ第３折れ線を介して連設された側片部とを備え、
前記舌片部は第２折れ線を境に第１片部上に折り畳まれて接着され、第１片部と舌片部により第１表紙部が構成され、
前記両側の側片部は第３折れ線を境に第２片部上に折り畳まれ、第２片部と両側の側片部により第２表紙部が構成され、
前記舌片部と両側の側片部が第１片部と第２片部とで挟まれるように第１表紙部と第２表紙部は第１折れ線を境に折り畳まれ、かつ、両側の側片部の前記第１片部に対向する面が第１片部に接着され、
前記第１折れ線を境に第１表紙部と第２表紙部が折り畳まれた状態で、前記舌片部と両側の側片部とは重ならずそれらによりＣＤ収納空間に収納されるＣＤのほぼ全面を覆う形状で形成され、
前記第１片部が前記第２表紙部に臨む面と、前記舌片部が前記第２表紙部に臨む面と、両側の側片部が第２片部に臨む面と、前記第２片部が第１表紙部に臨む面とによりＣＤ収納空間が形成されている、
ことを特徴とするＣＤ収納体。
【請求項２】
前記舌片部の基端の幅は、前記第１折れ線と対向する辺の縁に合致する幅で形成されている請求項１記載のＣＤ収納体。
【請求項３】
前記舌片部の基部の幅方向の両側の縁は、舌片部の先部に至るにつれて互いに近ずく湾曲線で形成されている請求項１記載のＣＤ収納体。
【請求項４】
前記舌片部の基部の幅方向の両側の縁は、舌片部の先部に至るにつれて近ずくように傾斜角を持った直線で形成されている請求項１記載のＣＤ収納体。
【請求項５】
前記舌片部は、ＣＤ収納空間に収納されるＣＤの半径よりも大きな幅で形成されている請求項１記載のＣＤ収納体。
【請求項６】
前記舌片部の長さは、第１折れ線と第２折れ線との間隔よりもわずかに小さい寸法で形成されている請求項１記載のＣＤ収納体。
【請求項７】
前記側片部の基端は、前記第２片部の前記第１折れ線の両側に接続される二つの辺の縁に合致する幅で形成されている請求項１記載のＣＤ収納体。
【請求項８】
前記側片部の基部の幅方向の両側の縁は、側片部の先部に至るにつれて互いに近ずく湾曲線で形成されている請求項１記載のＣＤ収納体。
【請求項９】
前記側片部の基部の幅方向の両側の縁は、側片部の先部に至るにつれて互いに近ずくように傾斜角を持った直線で形成されている請求項１記載のＣＤ収納体。
【請求項１０】
前記第１表紙部と第２表紙部が折り畳まれた状態で、前記舌片部の基部側に位置する部分と、両側の側片部が第１折れ線から離れた側に位置する部分とは、双方の縁が近接する形状で形成されている請求項１記載のＣＤ収納体。
【請求項１１】
前記第２片部の第１折れ線と対向する辺の縁に第４折れ線を介して第３片部が連設され、前記第２表紙部は、第３片部が第４折れ線を境に第２片部上に折り畳まれ、接着された後、前記両側の側片部が折り畳まれて構成され、前記ＣＤ収納空間は、第１片部が第２表紙部に臨む面と、前記舌片部が第２表紙部に臨む面と、両側の側片部が第２、第３片部に臨む面と、前記第３片部が第１表紙部に臨む面と、前記第２片部が第１表紙部に臨む面とにより形成されている請求項１記載のＣＤ収納体。
【請求項１２】
前記第１折れ線の端部と第２折れ線の端部を接続する第１片部の辺の縁には、前記第１片部と同じ大きさの矩形の第４片部が第５折れ線を介して連設されている請求項１記載のＣＤ収納体。
【請求項１３】
前記第４片部には本が取着されている請求項１２記載のＣＤ収納体。
【発明の詳細な説明】
【０００１】
【産業上の利用分野】
本発明は、ＣＤ（コンパクトディスク）を収納するＣＤ収納体に関する。
【０００２】
【従来の技術】
従来、ＣＤを収納する構造として、一般に、ＣＤの中央孔に係脱する突部を有する本体と、この本体に開閉可能に連結された蓋とからなるプラスチック製のケースが用いられている。
【０００３】
【発明が解決しようとする課題】
しかしながら、このようなプラスチックケースでは、大量に取り扱う際には、かさばって取り扱いが面倒になり、また、プラスチックを用いるため、コスト高となる不具合があった。
また、カタログやパンフレット等と共にＣＤを配布するような場合、カタログやパンフレットが紙であるのに対して、ＣＤのケースはプラスチックであるため、ＣＤの方のみが目立ってしまい、カタログやパンフレットとの一体感を出すことができない。
更に、ＣＤ本として、本の表紙や本文頁にＣＤを添付するような場合、プラスチックケースでは本がかさばる他、プラスチックは紙に比べて比重も大きく、そのため、本の重量が増し、大量に取り扱う際には、簡単に取り扱うことができない不具合もあった。
【０００４】
本発明は前記事情に鑑み案出されたもので、本発明の目的は、かさばることなく安価にＣＤを収納でき、カタログやパンフレット等と共に一体感を持たせてＣＤを配布でき、ＣＤを本に添付する場合であっても重量増を抑え、大量に扱う場合であっても簡単に取り扱うことができるＣＤ収納体を提供することにある。
【０００５】
【課題を解決するための手段】
前記目的を達成するため、本発明に係るＣＤ収納体は、ＣＤよりも大きい輪郭の矩形に形成された第１片部と、前記第１片部と同じ大きさの矩形で第１片部の一辺をなす縁に第１折れ線を介して連設され、第１折れ線を境に折り畳んだときに第１片部と合致する第２片部と、前記第１片部の第１折れ線と対向する辺の縁に第２折れ線を介して連設された舌片部と、前記第２片部の前記第１折れ線の両側に接続される二つ辺の縁にそれぞれ第３折れ線を介して連設された側片部とを備え、前記舌片部は第２折れ線を境に第１片部上に折り畳まれて接着され、第１片部と舌片部により第１表紙部が構成され、前記両側の側片部は第３折れ線を境に第２片部上に折り畳まれ、第２片部と両側の側片部により第２表紙部が構成され、前記舌片部と両側の側片部が第１片部と第２片部とで挟まれるように第１表紙部と第２表紙部は第１折れ線を境に折り畳まれ、かつ、両側の側片部の前記第１片部に対向する面が第１片部に接着され、前記第１折れ線を境に第１表紙部と第２表紙部が折り畳まれた状態で、前記舌片部と両側の側片部とは重ならずそれらによりＣＤ収納空間に収納されるＣＤのほぼ全面を覆う形状で形成され、前記第１片部が前記第２表紙部に臨む面と、前記舌片部が前記第２表紙部に臨む面と、両側の側片部が第２片部に臨む面と、前記第２片部が第１表紙部に臨む面とによりＣＤ収納空間が形成されていることを特徴とする。
【０００６】
また、本発明は、前記舌片部の基端の幅が、前記第１折れ線と対向する辺の縁に合致する幅で形成されていることを特徴とする。
また、本発明は、前記舌片部の基部の幅方向の両側の縁が、舌片部の先部に至るにつれて互いに近ずく湾曲線で形成されていることを特徴とする。
また、本発明は、前記舌片部の基部の幅方向の両側の縁が、舌片部の先部に至るにつれて近ずくように傾斜角を持った直線で形成されていることを特徴とする。
また、本発明は、前記舌片部が、ＣＤ収納空間に収納されるＣＤの半径よりも大きな幅で形成されていることを特徴とする。
また、本発明は、前記舌片部の長さが、第１折れ線と第２折れ線との間隔よりもわずかに小さい寸法で形成されていることを特徴とする。
【０００７】
また、本発明は、前記側片部の基端が、前記第２片部の前記第１折れ線の両側に接続される二つの辺の縁に合致する幅で形成されていることを特徴とする。
また、本発明は、前記側片部の基部の幅方向の両側の縁が、側片部の先部に至るにつれて互いに近ずく湾曲線で形成されていることを特徴とする。
また、本発明は、前記側片部の基部の幅方向の両側の縁が、側片部の先部に至るにつれて互いに近ずくように傾斜角を持った直線で形成されていることを特徴とする。
また、本発明は、前記第１表紙部と第２表紙部が折り畳まれた状態で、前記舌片部の基部側に位置する部分と、両側の側片部が第１折れ線から離れた箇所に位置する部分とは、双方の縁が近接する形状で形成されていることを特徴とする。
【０００８】
また、本発明は、前記第２片部の第１折れ線と対向する辺の縁に第４折れ線を介して第３片部が連設され、前記第２表紙部は、第３片部が第４折れ線を境に第２片部上に折り畳まれ、接着された後、前記両側の側片部が折り畳まれて構成され、前記ＣＤ収納空間は、第１片部が第２表紙部に臨む面と、前記舌片部が前記第２表紙部に臨む面と、両側の側片部が第２、第３片部に臨む面と、前記第３片部が第１表紙部に臨む面と、前記第２片部が第１表紙部に臨む面とにより形成されていることを特徴とする。
また、本発明は、前記第１折れ線の端部と第２折れ線の端部を接続する第１片部の辺の縁には、前記第１片部と同じ大きさの矩形の第４片部が第５折れ線を介して連設されていることを特徴とする。
また、本発明は、前記第４片部には本が取着されていることを特徴とする。
【０００９】
【作用】
ＣＤ収納体は、紙を用いて扁平に構成でき、従って、コストダウンを図れ、大量に取り扱う場合であってもその取り扱いは簡単になされる。
また、カタログやパンフレット等と共にＣＤを配布するような場合でも、カタログやパンフレットと、ＣＤとに一体感を持たせることが可能となる。
ＣＤ本として、本の表紙や本文頁にＣＤを添付するような場合であっても、第１表紙部や第２表紙部を本の表紙や本文頁に貼着することで簡単に対応できる。
また、ＣＤを出し入れする場合、舌片部がＣＤ収納空間へ折り返されているため、ＣＤ挿入口を構成する第１表紙部側の縁に紙の断裁面が臨まず、紙の折り曲げ部分が臨んでおり、従って、ＣＤの記録面を第１表紙部に向かせてＣＤ収納体に収納するようにすれば、ＣＤの記録面を傷付けることなくＣＤの出し入れを行うことが可能となる。
【００１０】
【実施例】
以下、本発明の実施例を添付図面に従って説明する。
図１は第１実施例に係るＣＤ収納体の正面図、図２は同斜視図を示す。
２はＣＤ収納体で、ＣＤ収納体２は、矩形状の第１表紙部４と第２表紙部６が、その下部と左右の側部が閉塞されて合わされ、上部が開放されて構成されている。
第１表紙部４と第２表紙部６との間の隙間がＣＤ収納空間８で、ＣＤ収納空間８には上部のＣＤ挿入口１０からＣＤ１２が挿脱される。
ＣＤ収納体２は図３に示す一枚の片体１４から製作され、以下、この製作工程順に説明する。
【００１１】
図３はＣＤ収納体２を構成する片体１４の展開図を示す。
片体１４には例えば、コート紙や厚紙、プラスチックシート等が用いられる。片体１４は、矩形に形成された第１片部１６及び第２片部１８と、第１片部１６に連設された舌片部２０と、第２片部１８の両側に連設された側片部２２とを備える。
第１片部１６及び第２片部１８は、共にＣＤ１２よりも大きな輪郭で同一の大きさの矩形に形成されている。
第１片部１６の一辺をなす縁と、第２片部１８の一辺を成す縁が合致した状態で連設され、この合致した縁箇所に第１折れ線２４が形成されている。
【００１２】
前記舌片部２０は、前記第１片部１６の第１折れ線２４が形成された辺と対向する一辺に、第２折れ線２６を介して連設されている。
前記舌片部２０の長さは、第１折れ線２４と第２折れ線２６との間隔よりもわずかに小さい寸法で形成されている。
前記舌片部２０は、第１片部１６と第２片部１８との幅方向の中央を通る中心線に対して対称に形成されている。
前記舌片部２０の基端の幅は、第２折れ線２６をなす第１片部１６の縁と同一の幅で形成されている。
前記舌片部２０の基部の幅方向の両側の縁は、舌片部２０の先部に至るにつれて互いに近ずく湾曲線２０Ａで形成されている。
前記舌片部２０の長手方向の中間部から先部にわたりほぼ同一の幅で形成され、この実施例では、ＣＤ１２の中心孔１２０２よりも大きく、ＣＤ１２の半径のほぼ２倍以上の寸法で形成されている。
【００１３】
前記側片部２２は、第２片部１８の前記第１折れ線２４の両側に接続される二つ辺の縁にそれぞれ第３折れ線２８を介して連設されている。
前記側片部２２の基端の幅は、第３折れ線２８をなす第２片部１８の縁と同一の幅で形成されている。
前記側片部２２の幅方向の両側の縁は、側片部２２の先部に至るにつれて互いに近ずき、かつ、先端で接続される湾曲線２２Ａで形成されている。
【００１４】
前記舌片部２０と側片部２２は、図４に示すように、舌片部２０が第２折れ線２６を境に第１片部１６上に折り畳まれ、両側の側片部２２が第３折れ線２８を境に第２片部１８上に折り畳まれ、この状態で第１片部１６と第２片部１８を第１折れ線２４を境に折り畳んだ状態で、図１に示すように、重ならず、前記舌片部２０の第２折れ線２６側に位置する半部の両側の縁と、両側片部２２の第１折れ線２４から離れた側の半部の縁とは、双方の縁が近接する形状で、この実施例では合致する形状で形成され、更に、舌片部２０と両側片部２２とにより、ＣＤ１２のほぼ全面を覆う形状で形成されている。
【００１５】
このような構成からなる片体１４は、まず、図４に示すように、舌片部２０が第２折れ線２６を境に第１片部１６上に折り畳まれ、糊により接着される。これにより舌片部２０と第１片部１６により第１表紙部４が構成される。
また、第３折れ線２８を境に両側の側片部２２が第２片部１８上に折り畳まれる。これにより側片部２２と第２片部１８とにより第２表紙部６が構成される。
【００１６】
次に、舌片部２０と側片部２２とが第１片部１６と第２片部１８とにより挟まれるように第１表紙部４と第２表紙部６が第１折れ線２４を境に折り畳まれる。そして、各側片部２２の第１片部１６に臨む面が糊により第１片部１６に接着される。
これにより、図１に示すように、底部が第１折れ線２４部分により閉塞され、両側が第３折れ線２８部分により閉塞され、上部が開放されたＣＤ収納空間８を有するＣＤ収納体２が形成され、この開放された上部がＣＤ挿入口１０となる。
図５に図１のＡＡ線相当の断面図を示す。
ＣＤ収納空間８の第１表紙部４側は、舌片部２０が第２片部１８に臨む面２０Ｂと、両側の側片部２２が第２片部１８に臨む面２２Ｂと、第１片部１６が第２表紙部６に臨む面（図５では不図示）により仕切られ、また、ＣＤ収納空間８の第２表紙部６側は、第２片部１８が第１表紙部６に臨む面１８Ｂにより仕切られ、ＣＤ収納空間８の左右の側部は第３折れ線２８部分により仕切られている。
そして、ＣＤ挿入口１０からＣＤ収納空間８にＣＤ１２が挿入され、収納される。
ＣＤ１２はそのままＣＤ収納空間８に収納してもよく、あるいは、不織布等からなる扁平な袋に入れた状態でＣＤ収納空間８に収納するようにしてもよい。
【００１７】
ＣＤ収納体２は、紙を用いて構成でき、また、プラスチックケースのようにかさばらず扁平であり、従って、コストダウンを図ると共に、大量に取り扱う場合であってもその取り扱いは簡単になされる。
また、カタログやパンフレット等と共にＣＤ１２を配布するような場合でも、ＣＤ１２の方のみが目立ってしまう等の不具合は生ぜず、カタログやパンフレットと、ＣＤ１２とに一体感を持たせることが可能となる。
更に、ＣＤ本として、本の表紙や本文頁にＣＤ１２を添付するような場合であっても、第１表紙部４や第２表紙部６を本の表紙や本文頁に貼着することで簡単に対応でき、本の重量を増し取り扱いが面倒になる不具合を解消できる。
【００１８】
また、ＣＤ挿入口１０からＣＤ１２を出し入れする場合、舌片部２０がＣＤ収納空間８へ折り返されているため、ＣＤ挿入口１０を構成する第１表紙部４側の縁に紙の断裁面が臨まず、紙が折り曲げられた第２折れ線２６部分が臨んでいる。
すなわち、紙の断裁面は、切断された微細な多数の繊維が突出しておりＣＤ１２の記録面を傷付け易いのに対して、紙が折り曲げられた第２折れ線２６部分には、このような突出する微細な多数の繊維が存在せず、多数の繊維が折り曲げられた状態となっている。
従って、ＣＤ１２の記録面を第１表紙部４に向かせてＣＤ収納体２に収納するようにすれば、ＣＤ１２の記録面を傷付けることなくＣＤ１２の出し入れを行うことが可能となる。
【００１９】
また、舌片部２０の基部と、側片部２２の第１折れ線２４とは離れた側の半部とは、第１表紙部４と第２表紙部６を合わせた状態で合致する形状に形成され、また、舌片部２０と両側片部２２はＣＤ１２をほぼ覆う形状に形成されているため、ＣＤ１２が収納された多数のＣＤ収納体２を積み重ねても、ＣＤ１２の両面にはほぼ平坦な平面が位置することになり、紙の段部等によりＣＤ１２が傷つく等の不具合も生じることはなく、また、多数を積み重ねることも可能となり、取り扱いも簡単になされる。
また、舌片部２０と、側片部２２をそれぞれ第１片部１６と第２片部１８上に折り畳む場合、舌片部２０と側片部２２の基端の両側は互いに近付く湾曲線でそれぞれ形成されているので、舌片部２０と側片部２２の第１、第２片部１６、１８上への折り畳みを簡単に行うことが可能となる。
【００２０】
次に、第２実施例について説明する。
図６は第２実施例のＣＤ収納体の正面図、図７はＣＤ収納体を構成する片体の展開図を示す。
尚、以下の実施例では前記第１実施例と同様な箇所、部材には同一の符号を付して説明する。
第２実施例のＣＤ収納体２０２は図７に示す片体３２から形成され、第２実施例では、前記第２片部１８の、前記第１折れ線２４に対向する辺の縁に第４折れ線３４を介して第３片部３６を連設したものである。
第３片部３６はほぼ矩形に形成され、第３片部３６の幅は第２片部１８よりも僅かに小さく形成され、また、第３片部３６の長さは、第１折れ線２４と第４折れ線３４との間隔よりも僅かに小さい寸法で形成されている。
第２実施例では、第２表紙部６を構成する際に、まず、図８に示すように、第４折れ線３４を境に第３片部３６を第２片部１８上に折り畳み、糊で接着する。次に、前記第１実施例と同様に、図９に示すように、舌片部２０が第２折れ線２６を境に第１片部１６上に折り畳まれ接着されて第１表紙部４が構成され、両側の側片部２２が第３折れ線２８を境に第２片部１８上に、詳細には第３片部３６上に折り畳まれ、第２表紙部６が構成される。
【００２１】
そして、図６に示すように、第１表紙部４と第２表紙部６が第１折れ線２４を境に折り畳まれ、各側片部２２の第１片部１６に臨む面が糊により第１片部１６に接着され、ＣＤ収納体２０２が構成される。
図１０に図６のＡＡ線相当の断面図を示す。
ＣＤ収納空間８の第１表紙部４側は、第１実施例と同様に、舌片部２０が第２片部１８に臨む面２０Ｂと、両側の側片部２２が第２片部１８に臨む面２２Ｂと、第１片部１６が第２表紙部６に臨む面（図５では不図示）により仕切られ、また、ＣＤ収納空間８の第２表紙部６側は、第１実施例と異なって、第３片部３６が第１表紙部４に臨む面３６Ｂと、第２片部１８が第１表紙部６に臨む面（図１０では不図示）により仕切られている。
このような第２実施例によれば、第２片部１８が第３片部３６により補強される他、ＣＤ挿入口１０を構成する第２表紙部６側の縁も第４折れ線３４部分が位置することから、第１表紙部４側の縁と同様に紙の断裁面が臨まず、紙の折り曲げ部分が臨んでいる。
従って、第２実施例によれば、ＣＤ１２の記録面を第１表紙部４あるいは第２表紙部６のどちらに向かせて収納しても、ＣＤ１２の記録面を傷付けることなくＣＤ１２の出し入れを行うことが可能となる。
【００２２】
次に、第３実施例について説明する。
図１１は第３実施例のＣＤ収納体の斜視図、図１２はＣＤ収納体を構成する片体の展開図、図１３は第１表紙部と第２表紙部の説明図、図１４は第１表紙部と第２表紙部を合わせた状態の説明図を示す。
第３実施例では、第１実施例に本４４を添付したものであり、ＣＤ収納体２０３によりＣＤ本が構成されている。
第３実施例の片体４２は、第１実施例の片体１４の第１片部１６の、前記第１折れ線２４と第２折れ線２６との間の辺の縁に第５折れ線４５、第６折れ線４６を介して第４片部４８を連設したものである。
第４片部４８はほぼ矩形に形成され、第５、第６折れ線４５、４６の間の第４片部４８部分の幅は本４４の厚みに対応した寸法で形成され、第６折れ線４６より外側の第４片部４８部分の輪郭は第１片部１６とほぼ合致する大きさで形成されている。
【００２３】
第３実施例では、図１３、図１４に示すように、前記第１実施例と同様に、第１表紙部４、第２表紙部６、ＣＤ収納体２０３が作られ、更に、図１１に示すように、第４片部４８に本４４が取着される。
本４４の取着は、第５折れ線４５と第６折れ線４６の間の第４片部４８部分に本４４の背を接着してもよく、或は、本４４の表紙を第６折れ線４６の外側の第４片部４８部分に接着してもよく、その際、本４４の天あるいは地を、第４片部４８部分の左右の縁、天地の縁の何れに向けてもよい。
このように、本実施例では、ＣＤ本とする場合にも、第４片部４８を設けることで簡単に対応できる。
そして、ＣＤ収納体２０３は紙により扁平に構成されておりかさばることがなく、軽量であり、従って、ＣＤ本を大型化し重量を増すこともなく、ＣＤ本を大量に取り扱う場合であっても、簡単に取り扱うことが可能となる。
尚、第４片部４８に本を取着せず、第４片部４８に文字、模様を付す等して使用することは無論任意である。
【００２４】
次に、図１５を参照して第４実施例について説明する。
図１５は第４実施例のＣＤ収納体を構成する片体の展開図を示す。
第４実施例のＣＤ収納体を構成する片体５２は、第３実施例の片体４２の第２片部１８に、第２実施例で説明した第３片部３６を第４折れ線３４を介して連設したものであり、ＣＤ収納体の作成方法は、前記第２実施例及び第３実施例と同様で、片体５２から形成されるＣＤ収納体の外観は図１１と同様で、また、作用効果も、第２実施例の効果と第３実施例の効果を加えたものとなる。
【００２５】
次に、図１６を参照して第５実施例について説明する。
図１６は第５実施例のＣＤ収納体を構成する片体の展開図を示す。
第５実施例のＣＤ収納体を構成する片体６２は、舌片部２０と側片部２２の形状が前記第３実施例の片体４２と異なっており、片体６２から作られるＣＤ収納体の外観は図１１と同様である。
すなわち、片体６２では、舌片部２０の基部の幅方向の両側の縁が、舌片部２０の先部に至るにつれて近ずくように傾斜角を持った直線２０Ｃで形成されており、また、側片部２２の基部の幅方向の両側の縁が、側片部２２の先部に至るにつれて互いに近ずくように傾斜角を持った直線２２Ｃで形成され、更に、側片部の先部は第３折れ線２８に平行する直線２２Ｄで形成されている。尚、第１表紙部１６と第２表紙部１８を作り、これら第１表紙部１６と第２表紙部１８を合わせた状態で、前記第３実施例と同様に舌片部２０と両側の側片部２２が合致する形状で形成されている。
【００２６】
次に、図１７を参照して第６実施例について説明する。
図１７は第６実施例のＣＤ収納体を構成する片体の展開図を示す。
第６実施例のＣＤ収納体を構成する片体７２は、舌片部２０と側片部２２の形状が前記第４実施例の片体５２と異なっており、片体７２から作られるＣＤ収納体の外観は図１１と同様である。
すなわち、片体７２では、図１６に示す第５実施例の片体６２と同様に、舌片部２０の基部の幅方向の両側の縁が、舌片部２０の先部に至るにつれて近ずくように傾斜角を持った直線２０Ｃで形成されており、また、側片部２２の基部の幅方向の両側の縁が、側片部２２の先部に至るにつれて互いに近ずくように傾斜角を持った直線２２Ｃで形成され、更に、側片部の先部は第３折れ線２８に平行する直線２２Ｄで形成されている。尚、第１表紙部１６と第２表紙部１８を作り、これら第１表紙部１６と第２表紙部１８を合わせた状態で、前記第３、第５実施例と同様に舌片部２０と両側の側片部２２が合致する形状で形成されている。
【００２７】
【発明の効果】
以上の説明で明らかなように本発明に係るＣＤ収納体は、ＣＤよりも大きい輪郭の矩形に形成された第１片部と、前記第１片部と同じ大きさの矩形で第１片部の一辺をなす縁に第１折れ線を介して連設され、第１折れ線を境に折り畳んだときに第１片部と合致する第２片部と、前記第１片部の第１折れ線と対向する辺の縁に第２折れ線を介して連設された舌片部と、前記第２片部の前記第１折れ線の両側に接続される二つ辺の縁にそれぞれ第３折れ線を介して連設された側片部とを備え、前記舌片部は第２折れ線を境に第１片部上に折り畳まれて接着され、第１片部と舌片部により第１表紙部が構成され、前記両側の側片部は第３折れ線を境に第２片部上に折り畳まれ、第２片部と両側の側片部により第２表紙部が構成され、前記舌片部と両側の側片部が第１片部と第２片部とで挟まれるように第１表紙部と第２表紙部は第１折れ線を境に折り畳まれ、かつ、両側の側片部の前記第１片部に対向する面が第１片部に接着され、前記第１折れ線を境に第１表紙部と第２表紙部が折り畳まれた状態で、前記舌片部と両側の側片部とは重ならずそれらによりＣＤ収納空間に収納されるＣＤのほぼ全面を覆う形状で形成され、前記第１片部が前記第２表紙部に臨む面と、前記舌片部が前記第２表紙部に臨む面と、両側の側片部が第２片部に臨む面と、前記第２片部が第１表紙部に臨む面とによりＣＤ収納空間が形成されている。
そのため、本発明に係るＣＤ収納体は、紙を用いて扁平に構成でき、従って、コストダウンを図れ、大量に取り扱う場合であってもその取り扱いは簡単になされる。
また、扁平なＣＤ収納体であるので、カタログやパンフレット等と共にＣＤを配布するような場合でも、カタログやパンフレットと、ＣＤとに一体感を持たせることが可能となる。
また、ＣＤ本として、本の表紙や本文頁にＣＤを添付するような場合であっても、第１表紙部や第２表紙部を本の表紙や本文頁に貼着することで簡単に対応できる。
更に、ＣＤを出し入れする場合、ＣＤ挿入口を構成する第１表紙部側の縁には紙の折り曲げ部分が臨んでいるため、ＣＤの記録面を傷付けることなくＣＤの出し入れを行うことが可能となる。
【図面の簡単な説明】
【図１】第１実施例に係るＣＤ収納体の正面図である。
【図２】第１実施例に係るＣＤ収納体の斜視図である。
【図３】片体の展開図である。
【図４】第１表紙部と第２表紙部の説明図である。
【図５】図１のＡＡ線断面図である。
【図６】第２実施例に係るＣＤ収納体の正面図である。
【図７】片体の展開図である。
【図８】第３片部の説明図である。
【図９】第１表紙部と第２表紙部の説明図である。
【図１０】図６のＡＡ線断面図である。
【図１１】第３実施例に係るＣＤ収納体の正面図である。
【図１２】片体の展開図である。
【図１３】第１表紙部と第２表紙部の説明図である。
【図１４】第１表紙部と第２表紙部とを合わせた状態の説明図である。
【図１５】第４実施例に係るＣＤ収納体を構成する片体の展開図である。
【図１６】第５実施例に係るＣＤ収納体を構成する片体の展開図である。
【図１７】第６実施例に係るＣＤ収納体を構成する片体の展開図である。
【符号の説明】
２、２０２、２０３  ＣＤ収納体
４  第１表紙部
６  第２表紙部
８  ＣＤ収納空間
１０  ＣＤ挿入口
１２  ＣＤ
１４、３２、４２、５２、６２、７２  片体
１６  第１片部
１８  第２片部
２０  舌片部
２２  側片部
２４  第１折れ線
２６  第２折れ線
２８  第３折れ線
３４  第４折れ線
３６  第３片部
４５  第５折れ線
４６  第６折れ線
４８  第４片部
【図１】
0003599133.tif 000002
【図２】
0003599133.tif 000003
【図３】
0003599133.tif 000004
【図４】
0003599133.tif 000005
【図５】
0003599133.tif 000006
【図６】
0003599133.tif 000007
【図７】
0003599133.tif 000008
【図８】
0003599133.tif 000009
【図９】
0003599133.tif 000010
【図１０】
0003599133.tif 000011
【図１１】
0003599133.tif 000012
【図１２】
0003599133.tif 000013
【図１３】
0003599133.tif 000014
【図１４】
0003599133.tif 000015
【図１５】
0003599133.tif 000016
【図１６】
0003599133.tif 000017
【図１７】
0003599133.tif 000018